(57)【特許請求の範囲】
【請求項１】
複数の単位模様に対応する縫い目を形成するためのデータを与える手段と、該複数の単位模様の中から所望の単位模様を選択する手段と、該選択された単位模様を複数個配置するための複数の外殻線に関する情報を与える手段と、前記外殻線に関する情報を図形として表示する手段と、該表示された外殻線に関する情報を選択する手段と、前記選択された単位模様を前記選択された外殻線に対する配置の態様を設定する単位模様配置設定手段と、前記選択された単位模様の縫い目を形成するためのデータに基づいて、該単位模様を前記選択された外殻線に関する情報と設定された配置の態様に基づく位置に刺繍縫いするための手段と、を備えたことを特徴とする外殻模様縫い機能を有する刺繍縫いミシン。
【請求項２】
前記外殻線に関する情報が、模様を配列させるための線を表す情報である、請求項１に記載の外殻模様縫い機能を有する刺繍縫いミシン。
【請求項３】
前記模様を配列させるための線の線上、線の外側、線の内側の中の１又は１以上の位置に前記単位模様を配設されるように設定する手段を更に備えた、請求項２に記載の外殻模様縫い機能を有する刺繍縫いミシン。
【請求項４】
前記単位模様の配置角度が変更可能である、請求項１又は２又は３に記載の外殻模様縫い機能を有する刺繍縫いミシン。
【請求項５】
複数の単位模様に対応する縫い目を形成するためのデータを与える手段と、該複数の単位模様の中から所望の模様を選択する手段と、該選択された単位模様を複数個配置するための複数の外殻線に関する情報を与える手段と、前記外殻線に関する情報を図形として表示する手段と、該表示された外殻線に関する情報を選択する手段と、前記選択された単位模様を前記選択された外殻線に対する配置の態様を設定する単位模様配置設定手段と、前記選択された縫い目を形成するためのデータと前記選択された外殻線に関する情報と設定された配置の態様とを記憶する手段と、を備えたことを特徴とする外殻模様縫いデータの生成装置。
【発明の詳細な説明】
【０００１】
【産業上の利用分野】
この発明は外殻模様縫い機能を有する刺繍縫いミシンに関する。
【０００２】
【従来の技術】
従来の刺繍縫いミシンにおいては、模様を形成するための縫い目データをメーカ側で予め製作しておき、この縫い目データをユーザが選択して縫製するようになっている。
【０００３】
【発明が解決しようとする課題】
しかし刺繍縫いが可能なミシンが普及するに伴い、ユーザにより自分の好みに適合する模様を刺繍したいというニーズが高まっており、従来のミシンではこのようなユーザの要求に応えることは出来なかった。
本発明は上記した従来技術の問題点を解決することを目的とする。
【０００４】
【課題を解決するための手段】
本発明は、複数の単位模様に対応する縫い目を形成するためのデータを与える手段と、該複数の単位模様の中から所望の単位模様を選択する手段と、該選択された単位模様を複数個配置するための複数の外殻線に関する情報を与える手段と、前記外殻線に関する情報を図形として表示する手段と、該表示された外殻線に関する情報を選択する手段と、前記選択された単位模様を前記選択された外殻線に対する配置の態様を設定する単位模様配置設定手段と、前記選択された単位模様の縫い目を形成するためのデータに基づいて、該単位模様を前記選択された外殻線に関する情報と設定された配置の態様に基づく位置に刺繍縫いするための手段と、を備えたことを特徴とする外殻模様縫い機能を有する刺繍縫いミシンとすることで、課題を解決することができた。
また本発明は、前記外殻線に関する情報が、模様を配列させるための線を表す情報である、請求項１に記載の外殻模様縫い機能を有する刺繍縫いミシンとすることで、課題を解決することができた。
また本発明は、前記模様を配列させるための線の線上、線の外側、線の内側の中の１又は１以上の位置に前記単位模様を配設されるように設定する手段を更に備えた、請求項２に記載の外殻模様縫い機能を有する刺繍縫いミシンとすることで、課題を解決することができた。
また本発明は、前記単位模様の配置角度が変更可能である、請求項１又は２又は３に記載の外殻模様縫い機能を有する刺繍縫いミシン。とすることで、課題を解決することができた。
また本発明は、複数の単位模様に対応する縫い目を形成するためのデータを与える手段と、該複数の単位模様の中から所望の模様を選択する手段と、該選択された単位模様を複数個配置するための複数の外殻線に関する情報を与える手段と、前記外殻線に関する情報を図形として表示する手段と、該表示された外殻線に関する情報を選択する手段と、前記選択された単位模様を前記選択された外殻線に対する配置の態様を設定する単位模様配置設定手段と、前記選択された縫い目を形成するためのデータと前記選択された外殻線に関する情報と設定された配置の態様とを記憶する手段と、を備えたことを特徴とする外殻模様縫いデータの生成装置とすることで、課題を解決することができた。
【０００５】
【実施例】
以下本発明の実施例を図面に基づいて説明する。
図１において、外殻データ付与手段１からは外殻を表すデータが与えられる。この外殻データ付与手段１は外殻データを記憶したメモリや他のデータ生成手段等であり、例えば図５の（Ａ）に示すような線のデータを付与するようになっている。図５の（Ａ）では、丸型、ハート型、盾型、菱型等の線による外殻を与えるようになっており、ユーザが任意に選択できるようになっている。外殻データ付与手段１からのデータは表示手段７において表示されると共に、縫い目形成制御手段３に入力するようになっている。
【０００６】
同様に単位模様データ付与手段２からは単位模様を表すデータが与えられる。この単位模様データ付与手段２も模様データを記憶したメモリや他の模様データ生成手段等である。模様データは前記したように、図形や文字や記号等を含み、場合により色に関する情報も含んでいる。
図５の（Ｂ）に示す例では、ひし形、丸、星型、長円、ハート型、三角形等の単位模様が用意されており、ユーザがこれらを任意に選択できるようになっている。この単位模様データ付与手段２からの信号も表示手段７に送られて表示されると共に、縫い目形成制御手段３に送られる。
【０００７】
縫い目形成制御手段３は単位模様データ付与手段２からの模様データを縫い目形成手段６に送り、ここで縫い目を形成させるようになっている。この際に、外殻データ付与手段１からの外殻データに基づいて、模様を該外殻に沿って配置させて縫いを実行させるようになっている。
図６は模様配置の一例を示すもので、ここでは外殻線Ｌの線上に単位模様Ｍを配置する場合、外殻線Ｌの内側に単位模様Ｍを配置する場合、外殻線Ｌの外側に単位模様Ｍを配置する場合、及びこれらの組み合わせで配置する場合を示している。この実施例では単位模様配置設定手段４により配置の態様を設定できるようになっており、縫い目形成制御手段３は設定された配置態様により縫い目形成手段６に模様縫いを実行させるようになっている。
【０００８】
図６の例では、外殻線Ｌに沿って単位模様Ｍを配置する位置を予め設定しておき、また外殻線Ｌと単位模様Ｍの相対的な大きさも予め決めてあり、外殻線Ｌと単位模様Ｍ及び配置態様が決定されれば一義的に単位模様Ｍの配列が決定されるようになっている。
【０００９】
また図６では、一種類の単位模様Ｍを複数配列させているが、これに限定されるものではなく、多種類の単位模様Ｍを配設させることも可能である。また文字を用いて文章を形成すること等も可能である。
【００１０】
また、単位模様Ｍの方向は図６では一定であるが、この実施例では単位模様角度設定手段５により単位模様Ｍの方向を変更できるようになっている。
図７に単位模様Ｍの方向の変化の例を示す。ａは常に一定方向のもの、ｂは放射状に方向を変えるもの、ｃは９０゜毎に方向を変えるもの、ｄはｘ軸又はｙ軸を基準として方向を変えるものを示している。縫い目形成制御手段３は単位模様角度設定手段５により指定された単位模様Ｍの角度に対応して縫い目形成手段６に縫い目形成を実行させるようになっている。
【００１１】
縫い目形成制御手段３からの信号は表示手段７に入力され、選択された単位模様Ｍを選択された外殻線Ｌに沿って、且つ選択された配置形態で、また選択された角度で単位模様Ｍを表示するようになっている。
【００１２】
なお、外殻線Ｌとして上記では単一の線を表すものを示したが、図８に示すように複数の外殻線Ｌと外殻線Ｌ’により所定の面積を有する外殻を設定することも可能であり、この外殻内に単位模様Ｍを配置するようにしても良い。図８の例では外殻の幅が変化するようになっており、それに合わせて単位模様Ｍの大きさも変化するようになっている。
このような構成により更に変化に富んだ刺繍模様を形成することが可能になる。
【００１３】
また、図９に示すように単位模様Ｍを白黒反転させた単位模様Ｍ’とすることが可能なように構成しても良い。ここで単位模様Ｍ’は単位模様Ｍ部分を囲む背景を有し、単位模様Ｍ部分を白抜きとなるように縫い目形成されるようになっている。
【００１４】
次にマイクロコンピュータを用いた具体的な構成を説明する。図２はブロック図、図３はミシン本体の外観図である。
最初に図３により本発明のミシンの一実施例の外観を説明する。
ミシン機枠Ｘ上にキャリッジ１１８とこれに支持された刺繍枠１１９及び針棒１２０と針１２１とが設けられている。該刺繍枠１１９には布を装着し、キャリッジ１１８のｘｙ方向の移動と針棒１２０及び針１２１の上下動により刺繍縫いを行うように構成されている。この刺繍縫いは縫いモード選択釦１０４により選択できるようになっており、刺繍縫いを行わない場合には通常縫いモードとし、前記した針棒１２０と針１２１の上下動及び送り装置（図示せず）による布送りにより通常縫いを実行するようになっている。また刺繍縫いの中、縫い目データ記憶装置５０に記憶された縫い目データに基づいた通常の刺繍縫いと、後述する外殻データ記憶装置１０と単位模様データ記憶装置１１に記憶されたデータに基づく外殻縫いも縫いモード選択釦１０４により選択出来るようになっている。
【００１５】
図２はハード的な構成を示すブロック図であり、図３と合わせて更にこの実施例を詳細に説明する。
ＣＰＵ１００はプログラム記憶装置１０１に記憶されたプログラムに従ってミシンの制御を行っており、足踏み式等の速度コントローラである回転速度指令装置１０３により指示された速度でミシンモータ駆動回路１１０を制御して、ミシンモータ１１１を回転させ、該指示速度に応じた縫い速度で縫目形成機構１１２を駆動するようになっている。縫目形成機構１１２は図３に示すように針棒１２０と針１２１及び図示しない布送り機構により構成され所定の縫いを実行するようになっている。ミシンモータ１１１の回転数はモータ回転検出センサ１１３により検出され、ＣＰＵ１００にフィードバックされて速度制御に使用されるようになっている。
刺繍縫い可能なミシンはミシンモータ駆動回路１１０に加えてＸＹモータ駆動回路１１５とＸＹモータ１１６及びＸＹ移動機構１１７を備えており、縫い目データ記憶装置５０に記憶され模様選択釦５２で選択されて読み出された縫い目データに基づいて模様縫いを実行するようになっている。ＸＹ移動機構１１７は図３に示すようにキャリッジ１１８と刺繍枠１１９を備えており、刺繍枠１１９に取り付けた布をＸ−Ｙ方向に移動させて刺繍縫いを実行させるようになっている。
タイミング信号発生装置１１４はミシン本体の上軸の回転位相を検出して、針１２１の上下動を検出し、ＸＹモータ駆動回路１１５によるＸ−Ｙ方向の駆動のタイミングを採るために用いられる。ＣＰＵ１００は該タイミング信号を入力して、ＸＹモータ駆動回路１１５を制御するようになっている。
上記した刺繍縫いと通常縫いは縫いモード選択釦１０４の操作によりなされるようなっている。この縫いモード選択釦１０４は図３に示すようにミシン機枠Ｘのフロント部に設けられている。
該フロント部には更に表示装置１０６が設けられており、図２に示すように表示制御装置１０５によりＣＰＵ１００からの指令に応じて種々の表示を行うようになっている。
また５１は一時記憶装置である。
【００１６】
縫いモード選択釦１０４により外殻縫いが選択されると、ＣＰＵ１００は外殻データ記憶装置１０と単位模様データ記憶装置１１に格納された外殻線Ｌと単位模様Ｍ及び配置形態記憶装置１２に格納された配置形態を読み込んで、表示データ生成プログラム記憶装置１５に記憶されたプログラムに従って表示装置１０６に表示するようになっている。外殻データ記憶装置１０には外殻線Ｌのデータとその表示データが記憶されており、単位模様データ記憶装置１１には単位模様Ｍの縫い目データと表示データとが格納されている。また配置形態記憶装置１２には配置形態に関するデータとその表示用のデータが格納されている。
図５に外殻線Ｌと単位模様Ｍ及び配置形態の表示例を示す。ユーザは表示装置１０６を見ながら外殻選択釦２０と単位模様選択釦２１及び模様配置形態設定釦２２により単位模様Ｍと外殻線Ｌ及び配置形態を選択するようになっている。この選択された単位模様Ｍと外殻線Ｌ及び配置形態は一時記憶装置５１に一時記憶されるようになっている。
【００１７】
更に、模様角度設定釦２３が操作された場合には、ＣＰＵ１００は角度制御プログラム記憶装置１３から角度制御プログラムを読み出して、選択した単位模様Ｍの配置角度を調整し、一時記憶装置５１に記憶するようになっている。また、反転指定釦２４が操作された場合には、模様反転プログラム記憶装置１４に記憶されたプログラムに対応して図９に示すような白黒反転を行い、このデータを一時記憶装置５１に記憶するようになっている。
【００１８】
単位模様Ｍ及び外殻線Ｌの選択、更に他のオプションの選択が終了すると、ＣＰＵ１００はミシンモータ駆動回路１１０を制御して一時記憶装置５１に一時記憶された単位模様Ｍ及び外殻線Ｌ、配置形態、又模様角度設定釦２３により設定された角度或いは反転指定釦２４により設定された白黒反転に従って縫い目を形成するように構成されている。
【００１９】
図４により動作を説明する。
縫いモード選択釦１０４の操作により刺繍縫いモードとされ、更に外殻縫いモードになると（ステップＳ１）、ＣＰＵ１００は外殻データ記憶装置１０から外殻の表示データを読み出して、図５の（Ａ）に示すように表示装置１０６に表示させる（ステップＳ２）。ユーザが外殻選択釦２０を操作して外殻の選択を行い（ステップＳ３）、確認が終了すると（ステップＳ４）、ＣＰＵ１００は選択された外殻データを一時記憶装置５１に記憶させる（ステップＳ５）。
次にＣＰＵ１００は単位模様データ記憶装置１１から単位模様の表示データを読み出して、図５の（Ｂ）に示すように表示装置１０６に表示させ（ステップＳ６）、ユーザが単位模様選択釦２１を操作して単位模様の選択を行い（ステップＳ７）、確認が終了すると（ステップＳ８）、ＣＰＵ１００は選択された単位模様データを一時記憶装置５１に記憶させる（ステップＳ９）。
更にＣＰＵ１００は配置形態記憶装置１２から配置形態の表示データを読み出して、図５の（Ｃ）に示すように表示装置１０６に表示させ（ステップＳ１０）、ユーザが模様配置形態設定釦２２を操作して配置形態の選択を行い（ステップＳ１１）、確認が終了すると（ステップＳ１２）、ＣＰＵ１００は選択された単位模様データを一時記憶装置５１に記憶させる（ステップＳ１３）。
そしてＣＰＵ１００は更に模様角度設定釦２３の操作があったか否か確認し（ステップＳ１４）、操作があった場合には、模様の角度変更に関する情報を一時記憶装置５１に記憶させる（ステップＳ１５）。
またＣＰＵ１００は反転指定釦２４の操作があったか否か確認し（ステップＳ１６）、操作があった場合には、単位模様の白黒反転処理を実行し、該データを一時記憶装置５１に記憶させる（ステップＳ１７）。
そして、ＣＰＵ１００は選択の変更があるか否かチェックし（ステップＳ１８）、変更があればステップＳ２に戻り、上記動作を繰り返す。
変更がない場合には、一時記憶装置５１に記憶された単位模様Ｍ、外殻線Ｌ及び配置形態、或いは単位模様Ｍの角度や白黒反転の指示に従って刺繍縫いを実行し（ステップＳ１９）、作業の終了を確認して（ステップＳ２０）、終了する。
【００２０】
以上説明した実施例の構成によれば、与えられた単位模様Ｍを外殻線Ｌに対応して配置させて刺繍縫いを行うことができる。また単位模様Ｍや外殻線Ｌの種類はユーザが選択でき、単位模様Ｍの角度変更や白黒反転等も可能であるから、ユーザの希望に適合した刺繍縫いを実現できる効果がある。
【００２１】
【発明の効果】
以上説明したように本発明の外殻模様縫い機能を有する刺繍縫いミシンは、複数の模様に対応する縫い目を形成するためのデータを与える手段と、該複数の模様の中から所望の模様を選択する手段と、該選択された模様を複数個配置するための複数の配置位置に関する情報を与える手段と、前記配置位置を図形として表示する手段と、
該表示された配置位置を選択する手段と、前記選択された模様の縫い目を形成するためのデータに基づいて、該模様を前記選択された配置位置に関する情報に基づく位置に刺繍縫いするための手段と、を備えているため、模様と配置位置を選択するだけで多様な模様を刺繍縫いすることが可能になる効果がある。
また模様の角度変更を可能とすることにより更に多様な刺繍縫いを行うことが可能になる効果がある。
【図面の簡単な説明】
【図１】本発明の一実施例を示す機能ブロック図。
【図２】本発明の一実施例をマイクロコンピュータを主体に構成した例を示すブロック図。
【図３】本発明の一実施例を示す外観斜視図。
【図４】本発明の一実施例の動作を説明するフローチャート図。
【図５】本発明の一実施例における外殻線、単位模様及び配置形態の表示例の説明図。
【図６】本発明の一実施例における配置形態の説明図。
【図７】本発明の一実施例における単位模様の角度変更の説明図。
【図８】本発明の一実施例における外殻線の他の態様の説明図。
【図９】本発明の一実施例における単位模様の白黒反転の説明図。
【符号の説明】
１：外殻データ付与手段、２：単位模様データ付与手段、３：縫い目形成制御手段、４：単位模様配置設定手段、５：単位模様角度設定手段、６：縫い目形成手段、７：表示手段、１０：外殻データ記憶装置、１１：単位模様データ記憶装置、１２：配置形態記憶装置、１３：角度制御プログラム記憶装置、１４：模様反転プログラム記憶装置、１５：表示データ生成プログラム記憶装置、２０：外殻選択釦、２１：単位模様選択釦、２２：模様配置形態設定釦、２３：模様角度設定釦、２４：反転指定釦、５０：縫い目データ記憶装置、５１：一時記憶装置、５２：模様選択釦、１００：ＣＰＵ、１０１：プログラム記憶装置、１０３：回転速度指令装置、１０４：縫いモード選択釦、１０５：表示制御装置、１０６：表示装置、１１０：ミシンモータ駆動回路、１１１：ミシンモータ、１１２：縫目形成機構、１１３：モータ回転検出センサ、１１４：タイミング信号発生装置、１１５：ＸＹモータ駆動回路、１１６：ＸＹモータ、１１７：ＸＹ移動機構、１１８：キャリッジ、１１９：刺繍枠、１２０：針棒、１２１：針。
【図１】
0004049830.tif 000002
【図２】
0004049830.tif 000003
【図３】
0004049830.tif 000004
【図４】
0004049830.tif 000005
【図５】
0004049830.tif 000006
【図６】
0004049830.tif 000007
【図７】
0004049830.tif 000008
【図８】
0004049830.tif 000009
【図９】
0004049830.tif 000010